(57)【要約】【課題】  製造を容易にしたレンズ駆動装置およびその製造方法を提供すること。【解決手段】  このレンズ駆動装置１は、レンズ１４を保持するレンズホルダ１０と、レンズホルダ１０をレンズ１４の光軸１１の方向に沿って直動させる駆動手段と、を有する。そして、レンズホルダ１０および駆動手段としての電磁機構を収納するケース体２４を有し、ケース体２４を少なくとも２つに分割可能に構成して、それらをケース分割体２６，４２とし、２つのケース分割体２６，４２は、電磁機構に給電するための給電部材をケース体２４の外部へ引き出すための給電部材通過部を有する。【選択図】  図１
2005091461.tif 000002
【特許請求の範囲】
【請求項１】
レンズを保持するレンズホルダと、
上記レンズホルダを上記レンズの光軸方向に沿って直動させる駆動手段と、
を有するレンズ駆動装置であって、
上記レンズホルダおよび上記駆動手段としての電磁機構を収納するケース体を有し、
上記ケース体を少なくとも２つに分割可能に構成して、それらをケース分割体とし、
上記２つのケース分割体は、上記電磁機構に給電するための給電部材を上記ケース体の外部へ引き出すための給電部材通過部を有することを特徴とするレンズ駆動装置。
【請求項２】
前記給電部材通過部は、前記ケース分割体の分割面に開放された切り欠きであることを特徴とする請求項１記載のレンズ駆動装置。
【請求項３】
前記ケース分割体の分割面に開放された切り欠きは、連通していることを特徴とする請求項２記載のレンズ駆動装置。
【請求項４】
前記ケース分割体の分割面に開放された切り欠きは、周方向にずれていることを特徴とする請求項２記載のレンズ駆動装置。
【請求項５】
前記ケース分割体の分割面が、前記レンズホルダの直動範囲の略中心にあることを特徴とする請求項１から４のいずれか１項記載のレンズ駆動装置。
【請求項６】
前記電磁機構は、前記レンズホルダを囲むようにその周囲に配置された磁石と、上記磁石を挟むように前記光軸方向に対向配置された駆動コイルとを有し、
前記給電部材は、上記駆動コイルの給電部であることを特徴とする請求項１から５のいずれか１項記載のレンズ駆動装置。
【請求項７】
レンズを保持するレンズホルダと、
上記レンズホルダを上記レンズの光軸方向に沿って直動させる駆動手段と、
を有するレンズ駆動装置の製造方法であって、
上記レンズホルダおよび上記駆動手段としての電磁機構を収納するケース体を有し、
上記ケース体を少なくとも２つに分割可能に構成して、それらをケース分割体とし、
上記２つのケース分割体にそれぞれ上記電磁機構を配置して、上記電磁機構に給電するための給電部材をそれぞれ上記２つのケース分割体に設けられた給電部材通過部から上記２つのケース分割体の外部へ引き出した後、
上記ケース分割体同士を一体化させることを特徴とするレンズ駆動装置の製造方法。
【請求項８】
レンズを保持するレンズホルダと、
上記レンズの光軸を囲むように配置された駆動マグネットと、
上記光軸を囲むように巻かれ、かつ、上記駆動マグネットを挟むように上記光軸方向に対向配置された第１駆動コイルおよび第２駆動コイルと、
を備えたレンズ駆動装置の製造方法であって、
上記第１駆動コイルを第１固定部材の内部に保持する工程と、
上記第１駆動コイルの第１給電部材を、上記第１固定部材の給電部材通過部に通過させる工程と、
上記第２駆動コイルを第２固定部材の内部に保持する工程と、
上記第２駆動コイルの第２給電部材を、上記第２固定部材の給電部材通過部に通過させる工程と、
上記第１固定部材と上記第２固定部材を接合する工程と、
を備えたことを特徴とするレンズ駆動装置の製造方法。
【請求項９】
請求項１から６のいずれか１項記載のレンズ駆動装置をカメラ部分に配置したことを特徴とするカメラ付き携帯機器。
【発明の詳細な説明】
【技術分野】
【０００１】
本発明は、カメラ付き携帯電話のカメラなど、比較的小型のカメラに用いられる撮影レンズの駆動装置およびその製造方法ならびにカメラ付き携帯機器に関する。
【背景技術】
【０００２】
カメラが搭載された携帯電話では、片手で携帯電話を持って自己の顔やその他の近接位置となる被写体を撮影する場合が多い。このため、この種のカメラに用いられる撮影レンズ系は、接写撮影機能を保有しているものが多い。このような接写撮影機能を有する撮影レンズ系の場合、通常の撮影を行うときのレンズ位置と接写撮影すなわちマクロ撮影を行うときのレンズ位置が異なるものとなる。すなわち、接写撮影時のレンズ位置は、通常撮影時のレンズ位置よりも僅かに一定の距離だけ被写体側に近づけた位置になる。
【０００３】
このため、この種の撮影レンズ系では、レンズ位置を通常の撮影位置とマクロ撮影位置との間で移動させるための駆動機構を備え、スイッチの切り換えによって駆動機構を駆動し、上述の２点の撮影位置の間をレンズが移動するようになっている。小型のカメラにおいては、機器の小型化、軽量化などの理由から、電磁力をレンズ駆動に直接利用し、レンズを移動させる形式のレンズ駆動装置が搭載されている（たとえば、特許文献１、特許文献２参照）。
【０００４】
【特許文献１】特開２０００−１８７８６２号公報（要約）
【特許文献２】特開平１０−１５０７５９号公報（要約）
【発明の開示】
【発明が解決しようとする課題】
【０００５】
本出願人は、先に電磁駆動方式の新規なレンズ駆動装置を提案した（特願２００３−１８５４５２）。図１１に示すように、この新規なレンズ駆動装置１００は、レンズ１１４を保持するレンズホルダ１１０と、レンズホルダ１１０の周囲に固定されたリング状の駆動マグネット１１６と、駆動マグネット１１６を挟むように対向配置されたリング状に巻かれた第１、第２駆動コイル１２８，１３０と、第１、第２駆動コイル１２８，１３０を挟むように対向配置されたリング状の第１、第２磁性体１３２，１３４と、第１、第２ケース分割体１２６，１４２から構成されるケース体１２４から主に構成されている。図１２は、レンズ駆動装置１００のケース体１２４の部分の外観図である。
【０００６】
このレンズ駆動装置１００のケース体１２４の部分の製造方法を、図１３を参照しながら説明する。まず、第１、第２駆動コイル１２８，１３０を第１ケース分割体１２６に入れ込み、その状態で第１、第２駆動コイル１２８，１３０の給電線１７２，１７４を、第１ケース分割体１２６の孔１４８，１４８，１４９，１４９からそれぞれ引き出す。はじめに給電線１７２，１７４を孔１４８，１４８，１４９，１４９から引き出すのは、給電線の引き出し作業はきわめて困難であり、各部材をケース体１２４に組み込んだ後で行うことはほとんど不可能だからである。この作業の後、第１、第２駆動コイル１２８，１３０の本体を第１ケース分割体１２６の外に取り出す。次いで、第１磁性体１３２、第１駆動コイル１２８の本体を順次第１ケース分割体１２６に収納する。その後、あらかじめ周囲に駆動マグネット１１６が固定されているレンズホルダ１１０を第１ケース分割体１２６に収納する。そして、第２駆動コイル１３０の本体、第２磁性体１３４を順次第１ケース分割体１２６に収納する。最後に第２ケース分割体１４２を第１ケース分割体１２６に嵌めこむ。この嵌めこみ工程は、第２ケース分割体１４２の周囲および第１ケース分割体１２６の内壁に形成されているネジ山同士を嵌合させながら行う。
【０００７】
しかし、このレンズ駆動装置１００の製造方法は、２つの駆動コイル１２８，１３０の給電線１７２，１７４を第１ケース分割体１２６の孔１４８，１４８，１４９，１４９に通すのが困難で時間がかかるという問題点がある。また、給電線１７２，１７４を孔１４８，１４８，１４９，１４９に挿入した後、コイル本体を一度外に出してから他の部材を組み込み、その後、再度コイル本体を入れ込むという二度手間の作業が必要となる問題点がある。また、第２駆動コイル１３０は、第２磁性体１３４を介して第２ケース分割体１４２の嵌め込みによって位置決めしなければならないため、第２ケース分割体１４２の嵌め込み方によっては、第２駆動コイル１３０の位置がずれたり、第２駆動コイル１３０がレンズホルダ１１０に引っ掛かってしまうという問題点がある。
【０００８】
本発明は、以上の問題点を解消するためになされたもので、製造を容易にしたレンズ駆動装置およびその製造方法を提供することを目的とする。また、他の発明は、製造を容易にすると共にコスト低減が可能となり、品質の安定性が達成されるカメラ付き携帯機器を提供することを目的とする。
【課題を解決するための手段】
【０００９】
上述の目的を達成するため、本発明は、レンズを保持するレンズホルダと、レンズホルダをレンズの光軸方向に沿って直動させる駆動手段と、を有するレンズ駆動装置であって、レンズホルダおよび駆動手段としての電磁機構を収納するケース体を有し、ケース体を少なくとも２つに分割可能に構成して、それらをケース分割体とし、２つのケース分割体は、電磁機構に給電するための給電部材をケース体の外部へ引き出すための給電部材通過部を有する。
【００１０】
この発明では、２つのケース分割体がそれぞれ電磁機構に給電するための給電部材をケース体の外部へ引き出すための給電部材通過部を有しているので、各ケース分割体内で部材の組立作業をし、最後に各ケース分割体を一体化することができ、レンズ駆動装置の製造が容易になる。
【００１１】
給電部材通過部は、ケース分割体の分割面に開放された切り欠きであることが好ましい。この構成によって、レンズ駆動装置の製造工程で給電部材を孔に通す必要がなく、切り欠きに嵌めるだけでよいので、製造が容易となり製造時間を短縮できる。
【００１２】
ケース分割体の分割面に開放された切り欠きは、連通していても良い。この構成によって、レンズホルダと共に給電部材も移動するタイプのレンズ駆動装置では、給電部材の移動を許容する空間を確保することができる。
【００１３】
また、ケース分割体の分割面に開放された切り欠きは、周方向にずれていても良い。この構成によって、切り欠きにおける給電部材の周囲の隙間を小さくすることができ、ケース体内への塵芥の進入を抑えることができる。さらに、給電部材の配線ミスを少なくすることができる。
【００１４】
これらの発明においては、ケース分割体の分割面が、レンズホルダの直動範囲の略中心にあることが好ましい。２つのケース分割体を共通化させることが可能になると共にケース体の内部の部材を両ケース分割体に分けて収納することが可能になる。
【００１５】
また、電磁機構は、レンズホルダを囲むように周囲に配置された磁石と、磁石を挟むように光軸方向に対向配置されたコイルとを有し、給電部材は、駆動コイルの給電部である構成を採用することができる。この構成によって、レンズ駆動装置の電磁駆動機構を簡単にすることができる。
【００１６】
上述の目的を達成するための他の発明は、レンズを保持するレンズホルダと、レンズホルダをレンズの光軸方向に沿って直動させる駆動手段と、を有するレンズ駆動装置の製造方法であって、レンズホルダおよび駆動手段としての電磁機構を収納するケース体を有し、ケース体を少なくとも２つに分割可能に構成して、それらをケース分割体とし、２つのケース分割体にそれぞれ電磁機構を配置して、電磁機構に給電するための給電部材をそれぞれ２つのケース分割体に設けられた給電部材通過部から２つのケース分割体の外部へ引き出した後、ケース分割体同士を一体化させている。
【００１７】
この発明では、電磁機構がそれぞれのケース分割体に配置されているので、給電部材をケース体の外部に出力する作業が容易になる。また、電磁機構がそれぞれのケース分割体に保持されているので、完成したレンズ駆動装置のケース体内での電磁機構のずれを抑えることができる。
【００１８】
上述の目的を達成するための他の発明は、レンズを保持するレンズホルダと、レンズの光軸を囲むように配置された駆動マグネットと、光軸を囲むように巻かれ、かつ、駆動マグネットを挟むように光軸方向に対向配置された第１駆動コイルおよび第２駆動コイルと、を備えたレンズ駆動装置の製造方法であって、第１駆動コイルを第１固定部材の内部に保持する工程と、第１駆動コイルの第１給電部材を、第１固定部材の給電部材通過部に通過させる工程と、第２駆動コイルを第２固定部材の内部に保持する工程と、第２駆動コイルの第２給電部材を、第２固定部材の給電部材通過部に通過させる工程と、第１固定部材と第２固定部材を接合する工程と、を備えている。
【００１９】
この発明では、第１、第２固定部材の配線通過部に給電部材を通過させれば良いので、レンズ駆動装置の製造が容易になる。また、第１、第２駆動コイルが各固定部材に保持されているので、完成したレンズ駆動装置の固定部材内での電磁機構のずれを抑えることができる。
【００２０】
上述の目的を達成するための本発明のカメラ付き携帯電話は、上記レンズ駆動装置をカメラ部分に配置している。この発明によれば、内部のレンズ駆動装置の製造が容易となり、コスト低減が可能となると共に作業の容易なことに起因する品質の安定化を可能とするカメラ付き携帯機器を得ることができる。
【発明の効果】
【００２１】
本発明によれば、製造を容易にしたレンズ駆動装置およびその製造方法を提供することができる。また、製造を容易にすると共にコスト低減が可能となり、品質の安定性が達成されるカメラ付き携帯機器を提供することができる。
【発明を実施するための最良の形態】
【００２２】
以下、図面を参照しながら本発明にかかるレンズ駆動装置およびその製造方法ならびにカメラ付き携帯機器の実施の形態について説明する。各実施の形態は、携帯電話のような携帯機器のカメラ部分として搭載するのに適した構成となっているが、ＰＤＡ（Personal Degital Assistance)等他の携帯機器に搭載するようにしてもよい。
【００２３】
図１は、本発明の第１の実施の形態に係るレンズ駆動装置１の断面図である。このレンズ駆動装置１は、レンズ１４を保持するレンズホルダ１０と、レンズホルダ１０をレンズ１４の光軸１１の方向に沿って直動させる駆動手段と、レンズホルダ１０および駆動手段を収納するケース体２４から主に構成されている。レンズホルダ１０の内部にレンズ１４が備えられている。レンズ１４は、カメラの撮影レンズで、複数枚のレンズが組み合わせられることによって構成されている。図１の上側が被写体側レンズ１４ａで、下側がカメラボディ側レンズ１４ｂである。なお、このレンズ駆動装置１では、レンズ１４とレンズ１４を保持するレンズホルダ１０が別の部材から構成されているが、両者が同一部材で一体に構成されていても良い。
【００２４】
レンズホルダ１０の外周は、前側が大径に、後側が小径に形成されてその境界に段部が形成されている。後側の小径部には、リング状に形成された駆動マグネット１６が嵌められ、駆動マグネット１６は上述した段部に当接された状態でレンズホルダ１０に一体に固着されている。
【００２５】
レンズホルダ１０の前端部、すなわち被写体側の端部には、被写体からの反射光をレンズ１４に取り込む円形の入射窓１８が形成されている。入射窓１８の前方には、レンズ保持用の開閉自在のバリヤが設けられるが、図示は省略されている。
【００２６】
レンズホルダ１０は、ケース体２４内に収納されている。ケース体２４は、それぞれ円筒状の第１固定部材でもある後側の第１ケース分割体２６と第２固定部材でもある前側の第２ケース分割体４２からなる。第１、第２ケース分割体２６，４２は、図１に示すように、互いの円筒状の張出部２６ａ，４２ａが係合するように接合されている。第１、第２ケース分割体２６，４２は、同一形状とすることもできる。同一形状とすれば、部品の共通化ができ製造コストの低下が可能となる。この第１の実施の形態ではケース体２４を２つに分割してあるが、３つ以上に分割しても良い。なお、フィルタ４３、撮像素子４４、回路基板４５、後端部材４６および台座部４７を除く部分、すなわちケース体２４と、ケース体２４に組み込まれた部材をケース体部という。
【００２７】
第１、第２駆動コイル２８，３０のそれぞれの給電部材である第１、第２給電線７２，７４は、図３に示すようにケース体２４を分割して構成する第１、第２ケース分割体２６，４２の接合面２６ｂ，４２ｂ（ケース体２４の分割面）に開放された給電部材通過部となる切り欠き６２，６４からケース体２４の外部へ引き出されている。ケース体２４の外部へ引き出された第１、第２給電線７２，７４は、図示されない電源に接続されている。なお、ケース体２４の分割面２６ｂ，４２ｂは、レンズホルダ１０の直動範囲の略中心にあるのが好ましい。また、第１の実施の形態では、切り欠き６２，６４を周方向にずらした位置に設定しているため、組み立てたとき、図２に示すように、切り欠き６４の開放側の約半分ほどが第１ケース分割体２６の張出部２６ａに塞がれた構成となる。
【００２８】
レンズ１４が光軸１１の方向に移動できるように、第１ケース分割体２６の後端部内周にレンズホルダ１０の後端部外周が嵌められている。後側、すなわちカメラボディ側へのレンズホルダ１０の移動限界は、レンズホルダ１０が、第１ケース分割体２６の後端に内向きに形成された突出縁２７に当接する位置である。図１は、レンズホルダ１０が最も後側へ移動した状態を示している。
【００２９】
レンズホルダ１０と一体動作する駆動マグネット１６は、第１ケース分割体２６の後端部内周の前側であってこの後端部内周よりもその内径が大径に形成された第１ケース分割体２６の内周にわずかな隙間をもって対向するように設置されている。駆動マグネット１６は、リング状となっており、図４に示すように中央の孔を囲む部分がＮ極に着磁され、全体の外周部分がＳ極にそれぞれ単極着磁されている。なお、この着磁関係は、ＮＳが逆となるようにしても良い。また、駆動マグネット１６は、第１ケース分割体２６に対し光軸１１の方向に相対移動可能に納められている。
【００３０】
第１ケース分割体２６の内周には、駆動マグネット１６よりも後側に、その駆動マグネット１６に対向するようにリング状に巻かれた第１駆動コイル２８が配置され、この第１駆動コイル２８に対して駆動マグネット１６を挟むようにして第２駆動コイル３０が配置されている。第１、第２駆動コイル２８，３０は、それぞれ第１、第２給電線７２，７４を有している。
【００３１】
第１駆動コイル２８の後側には、リング状の第１磁性体３２が配置されている。第２ケース分割体４２内には、リング状に巻かれた第２駆動コイル３０と、さらにこの第２駆動コイル３０に重なるようにリング状の第２磁性体３４が保持され固定されている。したがって、駆動マグネット１６を挟んで光軸１１の方向に並んだ第１駆動コイル２８と第２駆動コイル３０の光軸方向の外側にそれぞれ第１磁性体３２と第２磁性体３４が配置されている。
【００３２】
第１、第２磁性体３２，３４は、座金状の強磁性体、たとえば鋼板からなる。駆動マグネット１６から出た磁束は、第１駆動コイル２８や第１磁性体３２をその中心側から外周側に通過し駆動マグネット１６に戻る。また、駆動マグネット１６からの磁束は、第２磁性体３４や第２駆動コイル３０をその中心側から外周側に通り、駆動マグネット１６に至るようになっていて、これらの部材によって磁気回路が構成されている。したがって、駆動マグネット１６によって形成される磁界中に第１、第２駆動コイル２８，３０が位置している。
【００３３】
第１、第２駆動コイル２８，３０の対向面間距離は、駆動マグネット１６の光軸１１の方向の厚さよりも大きく、駆動マグネット１６と第１駆動コイル２８または第２駆動コイル３０との間には光軸１１の方向の間隙が生じていて、この間隙の範囲内で駆動マグネット１６が、したがって駆動マグネット１６と一体のレンズホルダ１０が光軸１１の方向に移動することができる。
【００３４】
図１に示す状態では、駆動マグネット１６がレンズホルダ１０と共に後側に移動し、駆動コイル２８，３０に通電されなくても、駆動マグネット１６と第１磁性体３２との間に生じる磁気吸引力によって通常撮影位置に保持されている。このとき、図１に示すように、第１駆動コイル２８と駆動マグネット１６との間にわずかな隙間が生じている。これは第１駆動コイル２８と駆動マグネット１６とが衝突すると、いずれか一方または両者が損傷してしまうためであり、その衝突を防止しているのである。
【００３５】
図１に示す状態において、図示されない所定のマクロ切り換えスイッチが操作されると、第１、第２駆動コイル２８，３０の少なくとも一方に所定の向きに通電され、この電流の向きと駆動マグネット１６による磁界の向きとによって、フレミングの左手の法則により駆動マグネット１６を前方に押し出す向きの電磁力が働き、駆動マグネット１６と共にレンズホルダ１０が前方に進出する。この進出量は、駆動マグネット１６と第１、第２駆動コイル２８，３０との間に生じる上述した間隙の範囲内である。レンズホルダ１０と共にレンズ１４が前方に進出してマクロ撮影位置となる。なお、フレミングの左手の法則は、磁界中に線電流が流れているときに、その線電流を流している物体に働く力の関係を示すものであるが、この実施の形態では、第１、第２駆動コイル２８，３０が共に固定されているため反作用として駆動マグネット１６に力が働くこととなる。
【００３６】
レンズホルダ１０が前方に進出すると、第２ケース分割体４２の突起部３６に衝突することで、その前方進出が阻止される。このときがマクロ撮影位置である。突起部３６は、精度向上の理由から円周形状よりも３点だけ突出している形状の方が好ましい。マクロ撮影位置におけるレンズ１４は、第１、第２駆動コイル２８，３０に通電されなくても、駆動マグネット１６と第２磁性体３４との間に生じる磁気吸引力によって保持される。このときも、第２駆動コイル３０と駆動マグネット１６との間にはわずかな隙間を発生させている。これも第２駆動コイル３０と駆動マグネット１６とが衝突し、それらが損傷することを防止するためである。
【００３７】
前方への移動の際に生ずる電磁力は、第１駆動コイル２８への通電では駆動マグネット１６を前方側に移動させる向きに発生させ、第２駆動コイル３０への通電でも駆動マグネット１６を前方側に移動させる向きに発生させる。第１、第２駆動コイル２８，３０の両方に同時に通電してもよいし、いずれか一方に通電しても良い。
【００３８】
マクロ撮影位置から通常撮影位置に切り換えるには、切り換えスイッチを通常撮影位置に切り換える。この切り換えによって、第１、第２駆動コイル２８，３０の少なくとも一方に逆向きに通電され、この電流の向きと駆動マグネット１６による磁界の向きとによって、フレミングの左手の法則により駆動マグネット１６を後方に引き戻す向きの電磁力が働き、駆動マグネット１６と共にレンズホルダ１０が後退して、図１に示す通常撮影位置となる。
【００３９】
レンズ駆動装置１の光軸１１に沿った後側には、フィルタ４３、撮像素子４４および回路基板４５等を収納する撮像素子ケース４７が配置されている。フィルタ４３は、撮像素子４４の検出波長に対応させて所定の波長の光をカットするためのものである。撮像素子４４はＣＭＯＳ(Complementary Metal Oxide Semiconductor)で構成されており、その検知信号を回路基板４５へ送る。検知信号となる画像信号は、回路基板４５を介して図示されないマイクロコンピュータ等で構成されている制御部へ送られる。なお、撮像素子４４としては、ＣＭＯＳ以外にＣＣＤやＶＭＩＳ等を採用することができる。
【００４０】
次に、第１の実施の形態に係るレンズ駆動装置１の製造方法について図３を参照しながら説明する。まず、第１ケース分割体２６に、第１磁性体３２、第１駆動コイル２８を順次配置する。この際、第１駆動コイル２８の第１給電線７２は、第１ケース分割体２６の給電部材通過部としての切り欠き６２を通過させて、ケース体２４の外部に引き出される。なお、第１の実施の形態では、給電部材通過部が切り欠き６２，６４であるが、図１０に示す他の実施の形態のように、給電部材通過部を孔６７，６７，６８，６８としてもよい。
【００４１】
同様にして、第２ケース分割体４２にも、第２磁性体３４、第２駆動コイル３０を順次配置する。その後、第１、第２ケース分割体２６，４２であらかじめ周囲に駆動マグネット１６が固定されているレンズホルダ１０を挟むようにして、レンズホルダ１０を第１、第２ケース分割体２６，４２に収納する。そして、第１、第２ケース分割体２６，４２同士を接合し一体化させる。
【００４２】
第１、第２ケース分割体２６，４２の一体化は、この時点では仮となる。仮に一体化されたケース体２４（レンズホルダ１０は組み込み済）は、図１に示すように台座部４７に接着剤４８等で固定される。この固定は、撮像素子４４とレンズ１４の距離を調整した後に行われる。すなわち、レンズ１４が通常撮影位置にあるとき、その画像が適切になるように調整されて最適位置でケース体２４（第１ケース分割体２６）を台座部４７に固定する、その後、レンズ１４をマクロ撮影位置としたときマクロ画像が最適となるように第２ケース分割体４２を第１ケース分割体２６に対して移動させる。そして、最適なマクロ画像を得る位置で第２ケース分割体４２を接着剤等にて本止めし、第１、第２ケース分割体２６，４２を完全に一体化する。
【００４３】
また、第１、第２ケース分割体２６，４２のそれぞれの切り欠き６２，６４は、ケース体２４内への塵芥の進入を抑えるため、周方向にずれているが、図５に示す本発明の第２の実施の形態のように、第１、第２ケース分割体２６，４２の分割面に開放された切り欠き６２，６４が連通していてもよい。第１の実施の形態では、可動側に駆動マグネット１６を、固定側に駆動コイル２８，３０を配置したムービングマグネット型の構成となっているが、この第２の実施の形態では、可動側に駆動コイルを、固定側に駆動マグネットを配置したムービングコイル型としたレンズ駆動装置である。この場合には、可動の駆動コイルの給電線９２が、この連通した切り欠き６２，６４を図５の矢印のように移動することができる。
【００４４】
ムービングコイル型レンズ駆動装置は、たとえば次の構成を採用することができる。レンズホルダ１０は、レンズ１４と共に光軸１１の方向に移動可能な駆動コイルと磁性体を備え、ケース体２４の内部には、上記駆動コイルを挟んでレンズ１４の光軸１１の方向に配置された第１駆動マグネットおよび第２駆動マグネットを備えると共に、上記駆動マグネットと磁気回路を構成し、駆動コイルへの通電を停止したときに第１駆動マグネットと第２駆動マグネットの一方と磁性体との磁気吸着により移動体を所定の位置に保持し、駆動コイルへの通電によってレンズホルダ１０を第１駆動マグネットと第２駆動マグネットとの間で移動させる。
【００４５】
次に、本発明の第３の実施の形態に係るレンズ駆動装置のケース体部を、図６に基づいて説明する。本実施の形態では、ケース体２４を３つに分割し、中間のケース分割体５３を挟むようにして第１、第２ケース分割体２６，４２が接合されている。第３の実施の形態は、ケース体２４を構成する第１、第２ケース分割体２６，４２と中間のケース分割体５３の形状が、第１の実施の形態と異なるのみで、他の構成は同一である。この第３の実施の形態では、中間のケース分割体５３を用いることで、第１給電線７２と第２給電線７４の位置が離れている場合でも、切り欠き６２，６４を小さくすることができる。その結果、配線の周囲の隙間も小さくなって、ケース体２４内への塵芥の進入を抑えることができる。
【００４６】
次に、本発明の第４の実施の形態に係るレンズ駆動装置のケース体部を、図７に基づいて説明する。本実施の形態では、第２ケース分割体４２には、第１ケース分割体２６に形成された切り欠き６２に対応する突起６５を有し、第１ケース分割体２６には、第２ケース分割体４２に形成された切り欠き６４に対応する突起６３を有し、第１ケース分割体と後側の第２ケース分割体４２とが、対応する切り欠きと突起でそれぞれ嵌合するように接合されている。本実施の形態によって、切り欠き６２，６４の第１、第２給電線７２，７４の周囲の隙間を小さくでき、塵芥がケース体２４内に進入するのを抑えることができる。
【００４７】
以上に説明した各実施の形態は、本発明の好適な例であるが、本発明の要旨を逸脱しない範囲で種々変更実施可能である。たとえば、本発明は、通常撮影とマクロ撮影との切り換えに限らず、レンズ１４の位置を２つまたは３つ以上の位置に切り換える必要があるものすべてに適用可能である。具体的には、不使用時にレンズ鏡筒をカメラまたは携帯機器などの本体内に収納する沈胴式カメラの沈胴機構として、あるいは、焦点距離を短焦点位置と長焦点位置に切り換えることができるカメラの焦点距離切り換え機構に適用することもできる。さらに、マクロ撮影位置と通常撮影位置とを切り替えるレンズ駆動装置に限らず、２つのレンズを駆動モータ等で独立に駆動するズーム撮影機能を有するレンズ駆動装置にも適用することもできる。
【００４８】
第１、第２ケース分割体２６，４２同士を一体化させる工程は、たとえば図８のケース体２４の接合部（分割面）付近の外観図および断面図に示したように、接合部に形成された凹部８０に接着剤を充填して行っても良い。また、図９のケース体２４の接合部（分割面）付近の外観図および断面図に示したように、接合部に形成された凸部９０を溶着して第１、第２ケース分割体２６，４２同士を一体化しても良い。凸部９０は、図９のように断面形状が半円形のように構成しても良いが、断面ケース形状が四角形となるようにしても良い。また、本発明の製造方法によれば、ケース分割体ごとに組み立てておいて、最後に各ケース分割体を一体化するので、給電部材をケース分割体の外部に引き出すことが容易に行うことができる。
【図面の簡単な説明】
【００４９】
【図１】本発明の第１の実施の形態に係るレンズ駆動装置を示す断面図である。
【図２】本発明の第１の実施の形態に係るレンズ駆動装置のケース体部を示す外観図である。
【図３】本発明の第１の実施の形態に係るレンズ駆動装置のケース体部を示す分解断面図である。
【図４】本発明の第１の実施の形態に係る駆動マグネットを示す平面図である。
【図５】本発明の第２の実施の形態に係るレンズ駆動装置のケース体部を示す外観図である。
【図６】本発明の第３の実施の形態に係るレンズ駆動装置のケース体部を示す外観図である。
【図７】本発明の第４の実施の形態に係るレンズ駆動装置のケース体部を示す外観図である。
【図８】本発明の実施の形態に係るレンズ駆動装置のケース分割体を一体化する方法の他の例を示す図であり、（Ａ）は分割面付近の外観図で、（Ｂ）は分割面付近の断面図である。
【図９】本発明の実施の形態に係るレンズ駆動装置のケース分割体を一体化する方法の他の例を示す図であり、（Ａ）は分割面付近の外観図で、（Ｂ）は分割面付近の断面図である
【図１０】本発明の他の実施の形態に係るレンズ駆動装置のケース体部を示す外観図である。
【図１１】本出願人による先の出願に記載されたレンズ駆動装置を示す断面図である。
【図１２】本出願人による先の出願に記載されたレンズ駆動装置を示す外観図である。
【図１３】図１１のレンズ駆動装置のケース体部を示す分解断面図である。
【符号の説明】
【００５０】
１  レンズ駆動装置
１０  レンズホルダ
１２  レンズ鏡筒
１４  レンズ
１４ａ  被写体側レンズ
１４ｂ  カメラボディ側レンズ
１４ｃ  間隔保持部材
１４ｄ  位置固定部材
１６  駆動マグネット（駆動手段の一部）
１８  入射窓
２０  前端面
２４  ケース体
２６  第１ケース分割体
２６ｂ  分割面
２８  第１駆動コイル（駆動手段の一部）
３０  第２駆動コイル（駆動手段の一部）
３２  第１磁性体
３４  第２磁性体
３６  突起部
４２  前側のケース分割体
４２ｂ  分割面
４３  フィルタ
４４  撮像素子
４５  回路基板
４６  後端部材
４７  台座部
５３  中間のケース分割体
６２，６４  切り欠き
７２  第１給電線（給電部材）
７４  第２給電線（給電部材）
９２  給電線
【図１】
2005091461.tif 000003
【図２】
2005091461.tif 000004
【図３】
2005091461.tif 000005
【図４】
2005091461.tif 000006
【図５】
2005091461.tif 000007
【図６】
2005091461.tif 000008
【図７】
2005091461.tif 000009
【図８】
2005091461.tif 000010
【図９】
2005091461.tif 000011
【図１０】
2005091461.tif 000012
【図１１】
2005091461.tif 000013
【図１２】
2005091461.tif 000014
【図１３】
2005091461.tif 000015